(57)【要約】【課題】  カートリッジを本体に容易に着脱すること。【解決手段】  上側本体１２には、カートリッジ３４を装着するためのカートリッジ装着部１８が形成され、カートリッジ装着部１８には本体用コネクタ３２が配置され、カートリッジ３４にはカートリッジ用コネクタ４４が配置され、カートリッジ３４は、カートリッジ装着部端部１８ａを仮想の回転軸としてカートリッジ装着部１８側に回転したときに、その回転に伴ってカートリッジ用コネクタ４４が本体用コネクタ３２に徐々に接続される。【選択図】        図１４
2006286553.tif 000002
【特許請求の範囲】
【請求項１】
情報を処理する情報処理ユニットと、カートリッジを着脱可能に装着する装着面を含むカートリッジ装着部と、該カートリッジ装着面に沿って配置された位置検出用パネルとを備えた本体に、複数のシートが配置され、該シートの各面における２次元位置座標値に関連付けて情報が格納された記憶媒体が組み込まれたカートリッジを前記カートリッジ装着部に装着して使用される電子装置であって、
前記本体の前記カートリッジ装着部は、前記装着面の下側に設けられた下側所定位置と前記面の上側に設けられた上側所定位置とを有し、前記カートリッジの下端部を前記下側所定位置にあてがい、前記下端部を仮想回転軸として前記カートリッジの上端部が前記上側所定位置に装着されるまで前記カートリッジを回動させることにより、前記カートリッジが装着されるように形成されており、
前記カートリッジ装着部には前記上側所定位置と下側所定位置の間の前記装着面上に配置され、前記処理ユニットに接続された複数の接続端子を備えた本体用コネクタが設けられており、
前記カートリッジの前記装着面に面する側には、前記本体用コネクタに対応して配置され、前記記憶媒体に接続された複数の接続端子を備えたカートリッジ用コネクタが設けられており、
前記カートリッジの下端部を前記下側所定位置にあてがい、前記下端部を仮想の回転軸として前記カートリッジを前記カートリッジ装着面側に回転させたときに、その回転に伴って前記カートリッジ用コネクタが前記本体用コネクタに徐々に接続されるように構成されてなることを特徴とする電子装置。
【請求項２】
請求項１記載の電子装置において、前記本体用コネクタは、前記装着面上の前記上側所定位置と下側所定位置の間の中間位置より下側所定位置寄りに配置され、前記本体用コネクタに設けられた複数の接続端子は、前記カートリッジ用コネクタに設けられた複数の接続端子の配列方向に合わせて、前記仮想の回転軸と直交する方向に配列されてなる電子装置。
【請求項３】
請求項２に記載の電子装置において、前記本体用コネクタは、前記カートリッジ装着部端部の前記下側所定位置の近傍に配置されてなることを特徴とする電子装置。
【請求項４】
請求項１乃至３のいずれか１項に記載の電子装置において、前記カートリッジ用コネクタにはガイドピンが形成され、前記本体用コネクタには前記ガイドピンの移動をガイドするためのガイド穴が形成されてなることを特徴とする電子装置。
【請求項５】
請求項１乃至４のうちいずれか１項に記載の電子装置において、前記本体には、複数のペン入力部と複数の操作部が両側に分かれて形成されてなることを特徴とする電子装置。
【請求項６】
請求項５に記載の電子装置において、前記本体は、上側本体と下側本体とを備え、前記上側本体と前記下側本体はヒンジを介して開閉自在に連結され、前記上側本体には前記カートリッジ装着部が形成されているとともに、前記カートリッジ装着部の両側にペン入力部が形成され、前記下側本体の左右両側には操作部が形成されてなることを特徴とする電子装置。
【請求項７】
請求項６に記載の電子装置において、前記下側本体は、前記ヒンジを介して前記上側本体の裏面に接するように回転自在に配置されてなることを特徴とする電子装置。
【請求項８】
請求項７に記載の電子装置において、前記下側本体の裏面と前記上側本体の裏面には互いに係合する係合部材が形成されてなることを特徴とする電子装置。
【請求項９】
情報を処理する情報処理ユニットと、カートリッジを着脱可能に装着する装着面を含むカートリッジ装着部と、該カートリッジ装着面に沿って配置された位置検出用パネルとを備えた電子装置に装着して使用する前記カートリッジであって、前記カートリッジ装着部は、前記装着面の下側に設けられた下側所定位置と前記面の上側に設けられた上側所定位置とを有し、前記カートリッジの下端部を前記下側所定位置にあてがい、前記下端部を仮想回転軸として前記カートリッジの上端部が前記上側所定位置に装着されるまで前記カートリッジを回動させることにより、前記カートリッジが装着されるように形成されており、前記カートリッジ装着部には前記上側所定位置と下側所定位置の間の前記装着面上に配置され、前記処理ユニットに接続された複数の接続端子を備えた本体用コネクタが設けられており、
前記カートリッジは、複数のシートが本形状に手めくり可能に配置された基板と、該シートの各面における２次元位置座標値に関連付けて情報が格納され前記カートリッジ内に組み込まれた記憶媒体と、前記基板の前記カートリッジ装着面に面する側の前記本体用コネクタに対応する位置に配置されたカートリッジ用コネクタとを備え、
前記カートリッジ装着部の下端部を仮想の回転軸として前記カートリッジが前記カートリッジ装着部側に回転したときに、その回転に伴って前記カートリッジ用コネクタが前記本体用コネクタに徐々に接続してなる前記カートリッジ。
【請求項１０】
請求項９に記載のカートリッジにおいて、前記カートリッジ用コネクタにはガイドピンが形成され、前記本体用コネクタには前記ガイドピンの移動を誘導するためのガイド穴が形成されてなることを特徴とするカートリッジ。
【請求項１１】
請求項９又は１０記載のカートリッジにおいて、前記本体用コネクタは、前記カートリッジ装着部のうち前記カートリッジの回転中心となる前記カートリッジ装着部端部の近傍に配置され、前記本体用コネクタに設けられた複数の接続端子は、前記カートリッジ用コネクタに設けられた複数の接続端子の配列方向に合わせて、前記仮想の回転軸と直交する方向に配列されてなることを特徴とするカートリッジ。
【請求項１２】
２部材を相対的に回動させて当該２部材を固定する機構において、前記２部材のそれぞれには電子回路とこれに接続するコネクタが設けられており、
このコネクタは前記回動の回転軸に対して直交する方向に形成されており、
前記２部材を相対的に回転させる過程で、当該コネクタ同士がその一端から他端にかけて徐々に接続するように構成されてなる、コネクタ接続構造。
【請求項１３】
前記コネクタの前記回転軸側端部付近に、前記コネクタの結合をガイドするガイド手段が設けられてなる請求項１２記載のコネクタ接続構造。
【請求項１４】
前記ガイド手段は、一方のコネクタに設けられたガイドピンと、このガイドピンが挿入される、他のコネクタに設けられたガイド孔とから構成されてなる請求項１２記載のコネクタ接続構造。
【請求項１５】
前記ガイドピン及びガイド孔のそれぞれには、前記回転軸側に向かって基端側に向かって徐々にテーパが形成されてなる請求項１３記載のコネクタ接続構造。
【発明の詳細な説明】
【技術分野】
【０００１】
本発明は、画像などの情報を電子的にディスプレイする遊戯用、学習用などとして用いる電子装置に関する。
【背景技術】
【０００２】
従来、テレビジョンなどの外部機器に映像を再生出力して、遊戯用、学習用などに使用する電子機器、例えば、電子式絵描き電子装置が提案されている。この種の電子装置には、位置検出パネルと情報処理ユニットが収容されたハウジングと前記検出パネルと連携してパネル上の位置を検出するタッチペンあるいはスタイラスを有する本体装置と、該本体の前記パネル上に複数枚のシートを絵本状に綴りＲＯＭを該絵本と一体に組み込んだカートリッジが着脱自在に装着されるようになっているものがある（特許文献１参照）。
【０００３】
このカートリッジは、複数枚のシートを綴じこむ基台となる厚手のプラスチック製基板と該基板の下側に配置されたカートリッジケースを有し、カートリッジケース内部には、情報の記録された記録媒体を搭載した回路基板が収納されている。情報を再生するに際しては、カートリッジを本体に装着することで、カートリッジ内の記録媒体に記録されたゲームプログラムや画像データや音声データなどの情報がコネクタを介して前記本体装置に読み込まれ、前記絵本上におけるタッチペンの操作に応答して、テレビなどのモニタに、絵本上の絵や文字に対応する映像・音声が出力することができるようになっている。
【０００４】
この種の電子装置においては、外部機器として家庭用のテレビが使用可能であるため、一般家庭で手軽にゲームやお絵かき、あるいは親子で勉強を楽しむことができる。しかも、カートリッジを取り替えるだけで、各種のゲームを適宜選択して楽しむことができ、幅広い年齢層に利用されている。
【０００５】
カートリッジを本体装置に装着する機構として、カートリッジ下部に配置されたコネクタプラグ部を本体装置の前記検出パネルの下側に配置されたコネクタソケット部に挿入し、当該コネクタソケット部を仮想軸としてカートリッジを回動させるように本体装置側に押しこみ装着する。またカートリッジを取り出すときはカートリッジの上部（複数枚のシートを綴じこむ基台の上部）を持って手前に引くと本体のコネクタ部を仮想軸として回動し本体の装着面から離脱し、そのあとカートリッジを上に引き上げることで取り外すことができる（特許文献２参照）。
【特許文献１】特許第３１２００８５号公報
【特許文献２】特許２８００６３７号公報
【発明の開示】
【発明が解決しようとする課題】
【０００６】
しかしながら、従来技術においては、前記カートリッジの本体装置への着脱動作時、慣れない幼児が差込あるいは取り外し操作で無理な力がコネクタ部にかかりコネクタ部を破壊することがあり、カートリッジを本体に容易に着脱できるものが望まれていた。
【０００７】
本発明は、前記従来技術における課題を解決するために成されたものであり、その目的は、カートリッジを本体に容易に着脱することにある。
【０００８】
さらに、前述する従来技術においては、使用時に上部本体を開いて下部本体を下側におき上部本体を傾斜状態に保持して操作する構成となっており、テレビ等のモニタに画像を生成しモニタ画像を見ながら操作する構成となっており、テレビ等のモニタがないところでは使用することができない構成となっていた。従って本発明は、テレビ等のモニタがあるところでも映像用モニタが無いところでも二通りのモードで使用可能にする遊戯用あるいは教育用電子装置を提供することにある。
【課題を解決するための手段】
【０００９】
前記課題を解決するために、本発明は、情報を処理する情報処理ユニットと、カートリッジを着脱可能に装着する装着面を含むカートリッジ装着部と、該カートリッジ装着面に沿って配置された位置検出用パネルとを備えた本体に、複数のシートが配置され、該シートの各面における２次元位置座標値に関連付けて情報が格納された記憶媒体が組み込まれたカートリッジを前記カートリッジ装着部に装着して使用される電子装置であって、前記本体の前記カートリッジ装着部は、前記装着面の下側に設けられた下側所定位置と前記面の上側に設けられた上側所定位置とを有し、前記カートリッジの下端部を前記下側所定位置にあてがい、前記下端部を仮想回転軸として前記カートリッジの上端部が前記上側所定位置に装着されるまで前記カートリッジを回動させることにより、前記カートリッジが装着されるように形成されており、前記カートリッジ装着部には前記上側所定位置と下側所定位置の間の前記装着面上に配置され、前記処理ユニットに接続された複数の接続端子を備えた本体用コネクタが設けられており、前記カートリッジの前記装着面に面する側には、前記本体用コネクタに対応して配置され、前記記憶媒体に接続された複数の接続端子を備えたカートリッジ用コネクタが設けられており、前記カートリッジの下端部を前記下側所定位置にあてがい、前記下端部を仮想の回転軸として前記カートリッジを前記カートリッジ装着面側に回転させたときに、その回転に伴って前記カートリッジ用コネクタが前記本体用コネクタに徐々に接続されるように構成されてなることを特徴とする電子装置を構成したものである。
【００１０】
前記した手段によれば、カートリッジの背面にコネクタ端子を配置することにより、カートリッジの下部を本体の支点部となる位置に挿入して回転させていくと、自然にカートリッジのコネクタ端子が本体のコネクタに装着される。一方、取り外すときも、カートリッジの上部を手前に引くことにより、カートリッジが本体の支点部を回転軸として回転する間に自然に離脱するので、コネクタ部に無理な力がかかるのを防止できる。
【００１１】
前記電子装置を構成するに際しては、以下の要素を付加することができる。
【００１２】
（１）前記本体用コネクタは、前記装着面上の前記上側所定位置と下側所定位置の間の中間位置より下側所定位置寄りに配置され、前記本体用コネクタに設けられた複数の接続端子は、前記カートリッジ用コネクタに設けられた複数の接続端子の配列方向に合わせて、前記仮想の回転軸と直交する方向に配列されてなる。
【００１３】
（２）前記本体用コネクタは、前記カートリッジ装着部端部の前記下側所定位置の近傍に配置されてなる。
【００１４】
（３）前記カートリッジ用コネクタにはガイドピンが形成され、前記本体用コネクタには前記ガイドピンの移動をガイドするためのガイド穴が形成されてなる。
【００１５】
（４）前記本体には、複数のペン入力部と複数の操作部が両側に分かれて形成されてなる。
【００１６】
（５）前記本体は、上側本体と下側本体とを備え、前記上側本体と前記下側本体はヒンジを介して開閉自在に連結され、前記上側本体には前記カートリッジ装着部が形成されているとともに、前記カートリッジ装着部の両側にペン入力部が形成され、前記下側本体の左右両側には操作部が形成されてなる。
【００１７】
（６）前記下側本体は、前記ヒンジを介して前記上側本体の裏面に接するように回転自在に配置されてなる。
【００１８】
（７）前記下側本体の裏面と前記上側本体の裏面には互いに係合する係合部材が形成されてなる。
【００１９】
また、本発明は、情報を処理する情報処理ユニットと、カートリッジを着脱可能に装着する装着面を含むカートリッジ装着部と、該カートリッジ装着面に沿って配置された位置検出用パネルとを備えた電子装置に装着して使用するカートリッジであって、前記カートリッジ装着部は、前記装着面の下側に設けられた下側所定位置と前記面の上側に設けられた上側所定位置とを有し、前記カートリッジの下端部を前記下側所定位置にあてがい、前記下端部を仮想回転軸として前記カートリッジの上端部が前記上側所定位置に装着されるまで前記カートリッジを回動させることにより、前記カートリッジが装着されるように形成されており、前記カートリッジ装着部には前記上側所定位置と下側所定位置の間の前記装着面上に配置され、前記処理ユニットに接続された複数の接続端子を備えた本体用コネクタが設けられており、前記カートリッジは、複数のシートが本形状に手めくり可能に配置された基板と、該シートの各面における２次元位置座標値に関連付けて情報が格納され前記カートリッジ内に組み込まれた記憶媒体と、前記基板の前記カートリッジ装着面に面する側の前記本体用コネクタに対応する位置に配置されたカートリッジ用コネクタとを備え、前記カートリッジ装着部の下端部を仮想の回転軸として前記カートリッジが前記カートリッジ装着部側に回転したときに、その回転に伴って前記カートリッジ用コネクタが前記本体用コネクタに徐々に接続してなるカートリッジを構成したものである。
【００２０】
前記カートリッジを構成するに際しては、前記カートリッジ用コネクタにはガイドピンが形成され、前記本体用コネクタには前記ガイドピンの移動をガイドするためのガイド穴が形成されてなるものとしたり、前記本体用コネクタは、前記カートリッジ装着部のうち前記カートリッジの回転中心となる前記カートリッジ装着部端部の近傍に配置され、前記本体用コネクタに設けられた複数の接続端子は、前記カートリッジ用コネクタに設けられた複数の接続端子の配列方向に合わせて、前記仮想の回転軸と直交する方向に配列されてなるものとすることができる。
【発明の効果】
【００２１】
本発明によれば、本発明では、カートリッジの背面にプラグコネクタ端子を配置し、本体側のソケットコネクタの下側両側部にガイド孔を設け、これに対応してプラグコネクタの下側両側部にガイドピンを設け、コネクタの設けられていないカートリッジの下部を回動軸として回動させていくと自然にカートリッジのコネクタ端子が本体のコネクタに装着される。また取り外すときもカートリッジの上部を手前に引くことによりコネクタの設けられていないカートリッジの下部を回動軸として回動する間に自然に離脱するのでコネクタ部に無理な力がかかるのを防止している。カートリッジを本体に容易に着脱することができる。
【００２２】
さらに、本発明では下部本体を３６０度回動させ上部本体の下側に嵌め込み固定し、この状態で膝のうえに載せあるいはテーブルの上においてテレビ等のモニタに接続することなく、上部本体にカートリッジを装着し、カートリッジ上の開いたページ上でタッチペンを操作することも可能になった。
【発明を実施するための最良の形態】
【００２３】
以下、本発明の一実施形態を図面に基づいて説明する。図1は、本発明の一実施例を示す電子装置の斜視図である。図1において、電子装置１０は、情報を処理する情報処理ユニット（図示せず）および位置検出用パネル（図示せず）とを収納する樹脂製ハウジングとして、上側本体１２と下側本体１４とを備えており、上側本体１２と下側本体１４はヒンジ１６を介して開閉自在に連結されている。上側本体１２にはカートリッジ装着部１８、１９が凹部状に形成されており、カートリッジ装着部１８、１９の上部側には取っ手２０が形成され、カートリッジ装着部１８、１９の両端側には、ペン入力部としてのタッチペン装着部２２、２４が形成され、各タッチペン収納部２２、２４内にはタッチペン２６、２８が収納されている。カートリッジ装着部１８の上部側には、図２に示すように、光透過用の孔３０が複数個形成されているとともに、カートリッジ装着部１８の右側面側には、本体用コネクタ３２が配置されている。カートリッジ装着部１８にはカートリッジ３４がカートリッジ装着部端部１８ａを仮想の回転軸として着脱自在に装着されている。この場合、載置されたカートリッジ３４下部が離脱しないように保持ピン１８ｂが設けられている。
【００２４】
カートリッジ装着部１８、１９の裏面（上部本体１２と下部本体１４にはそれぞれＸＹマトリックス状に配線が配置されており、Ｘ方向およびＹ方向に走査され電磁波（電波）がパネル（カートリッジ装着部１８、１９のカートリッジを載置する面）から放出され、当該電磁波をタッチペンの先端に設けられたアンテナで検出され検出された信号は情報処理ユニットに伝送されタッチペンの先端が近接されたパネル上の位置の座標情報が検出される。かかる座標位置検出機構およびその動作は特許第３１２００８５号公報に記載されている。
【００２５】
コネクタ３２は、図３に示すように、雌型コネクタ（ソケット）として、ほぼ直方体形状に形成された本体３２ａを備えており、本体３２ａには孔３２ｂが細長い溝状に形成され、孔３２ｂの両側には、処理ユニットに接続された複数の接続端子３２ｃが一列になって形成されている。すなわち、各接続端子３２ｃは、カートリッジ装着部端部１８ａを仮想の回転軸としたときに、この仮想の回転軸を直交する方向に沿って一列ずつ配列されている。本体３２ａの端部には、一対の突部３２ｄが形成されており、各突部３２ｄにはガイド孔３２ｅが形成されている。各ガイド孔３２ｅは孔径が上側から下側に行くに従って漸次小径となる（回転軸側に向かっ基端側に向かって徐々に傾斜する）テーパ状に形成されている。
【００２６】
カートリッジ３４は、図４から図９に示すように、樹脂を用いてほぼ長方形形状の基板ケースとして構成され、処理ユニットによって実行されるプログラムやテレビジョン画面に表示される画像生成用データやスピーカから音声として出力される音声生成用データ等の情報がカートリッジに取り付けられた複数のカードの各ページ上のいろいろな位置の座標値に関連付けて（データ読み出し用のアドレスに対応付けられて）格納された記憶媒体（図示せず。一般的にはマスクＲＯＭが使用されるが、アプリケーションによってはフラッシュメモリ等の不揮性メモリを使用することができる。）が搭載され、記憶媒体の出力端子をコネクタ端子部（以下に説明される。）に接続する配線層が設けられた配線基板（図示せず）を内蔵している。
【００２７】
カートリッジ３４の表面側にはカード装着部３５が形成され、カード装着部３５の上部側には光透過用の孔３６が複数個形成されている。カートリッジ装着部３５の左側の領域には上下に分かれて嵌合部が設けられており、図９に示すように嵌合部にはそれぞれ一対の嵌合用突起３８が形成されており、各嵌合用突起３８にはＵ字型のクリップ４０が嵌合可能に構成されている。
【００２８】
カートリッジ装着部３５には、図１０に示すように、カード（シート）４２が複数枚装着可能に形成されている。すなわち、カートリッジ装着部３５の前記一対の嵌合部のそれぞれにおいて前記一対の嵌合用突起３８の一方（カード載置側）の突起３８にカードの端縁に設けられた孔を挿入することによって、カード４２が複数枚配置されたときに、各カード４２の穴内にクリップ４０の一端側を挿入嵌合することで、各カード４２をクリップ４０で抜け出さないように保持され本状に形成することができる。この場合、各カード４２は、一端側がクリップ４０で保持されるので、各カード４２を１枚ずつめくることができる。この際、各カード４２の形状は異なるようになっており、各カード４２がめくられたときには、光透過用の孔３６が順次遮光状態から開放状態となって、どのカード４２が開かれているかが検出できるようになっている。
【００２９】
すなわち、カートリッジ３４には、カード４２の有無を検出するための受光素子と発光素子が各光透過用の孔３６に対応して内蔵されており、各孔３６の受光素子と発光素子は基板に接続されている。
【００３０】
各カードの両面（本のページに対応）には絵,文字、記号、文章等が印刷されており、当該絵,文字、記号、文章等が印刷されている各ページ上の位置の座標値をアドレスとして、当該絵,文字、記号、文章等に関連するプログラム、画像データ、音声データ、プログラムを実行するための指示データ等アプリケーションソフトを実行する上で必要な情報が、前記記憶媒体に格納されている。
【００３１】
また、カートリッジ３４の背面側の右側面側端部（上部本体１２のコネクタ部３２に対応する位置）にはカートリッジ用コネクタ４４（プラグ）が装着されている。コネクタ４４の各端子はカートリッジ３４に内蔵された回路基板上に搭載された記憶媒体の対応する外部接続端子に接続されており、このプラグコネクタ４４は上側本体１２側に配置されたソケットコネクタ３２と着脱自在に接続可能に配置されている。
【００３２】
コネクタ４４は、図１１に示すように、雄型コネクタとして、ほぼ直方体形状に形成された本体４４ａを備えており、本体４４ａの中心部には薄板状の突起４４ｂが前記ソケットコネクタ３３の溝状孔３２ｂに対応して長手方向に沿って形成されている。突起４４ｂの両面側には、基板に接続された複数の接続端子４４ｃが形成されている。本体４４ａの長手方向端部両側には突部４４ｄが形成されており、各突部４４ｄにはガイドピン４４ｅが形成されている。ガイドピン４４ｅはほぼ円柱状に形成されており、このガイドピン４４ｅは基端側から先端側に渡ってその径が漸次小径となるテーパ状に形成されている。すなわち、ガイドピン４４ｅは、テーパ状に形成されたガイド孔３２ｅの形状に合わせてテーパ状に形成されている。
【００３３】
コネクタ４４とコネクタ３２との接続は、カートリッジ３４を上側本体１２のカートリッジ装着部１８に装着することによって為されるようになっている。カートリッジ３４を上側本体１２のカートリッジ装着部１８に装着するに際しては、カートリッジ３４の底部側をカートリッジ装着部端部１８ａに合せ、カートリッジ装着部１８ａを仮想の回転軸として、カートリッジ３４の上側を上側本体１２側に回動すると、図１２と図１３に示すように、カートリッジ３４の回動に伴って、まず、コネクタ４４の各ガイドピン４４ｅがそれぞれコネクタ３２のガイド孔３２ｅの入口側に挿入される。この後、カートリッジ３４の回動に伴って、ガイドピン４４ｅはガイド孔３２ｅの壁面に沿って順次内部に挿入される。すなわち各ガイドピン４４ｅは各ガイド孔３２ｅのテーパ面に沿って順次挿入される。このとき接続端子４４ｃのうちガイドピン４４ｅ側の接続端子４４ｃがガイド孔３２ｅ側の接続端子３２ｃに接触し、その後、ガイドピン４４ｅから離れる位置にある接続端子４４ｃがガイド孔３２ｅから離れる位置にある接続端子３２ｃと順次接触しながら突起４４ｂが孔３２ｂ内に挿入される。すなわち、各ガイドピン４４ｅが各ガイド孔３２ｅにガイドされながら突起４４ｂが孔３２ｂ内に挿入され、コネクタ３２とコネクタ４４とが徐々に接続されるに伴って、図１４に示すように、カートリッジ３４がカートリッジ装着部１８側に徐々に回動する。このため、コネクタ４４とコネクタ３２との接続を容易に行うことができるとともに、カートリッジ３４をカートリッジ装着部１８に容易に装着することができる。
【００３４】
なお、コネクタ３２、４４の代わりに、図１５、図１６および図１７に示すように、突部３２ｄやガイド孔３２ｅがないコネクタ３２を用いたり、突部４０ｄやガイドピン４４ｅがないコネクタ４４を用いたりすることもできる。
【００３５】
一方、下側本体１４の中央部にはタッチパネル４６が配置されており、タッチパネル４６の左右両側には、操作部４８、５０が設けられている。すなわち、二人で操作ができるように、タッチパネル２６、２８が２個設けられていることに対応して、操作部４８、５０が２ヶ所に設けられている。各操作部４８、５０はタッチスイッチ４８ａ、５０ａや複数の操作ボタン４８ｂ、５０ｂを用いて構成されている。このように、下側本体１４のタッチパネル４６の左右両側には、操作部４８、５０が設けられているので、複数のユーザーが同じ電子装置１０に対してそれぞれ入力できるようになっている。
【００３６】
ここで、カード４２に、例えば、象、猿、草、太陽、山、雲の図形が印刷されているときに、図１８に示すように、カード４２上をタッチペン２６または２８で操作して、タッチペン２６または２８を、表示した図形に接近あるいは接触させると、その図形の画像がテレビなどのモニタ画面上に表示されるようになっている。
【００３７】
遊戯具あるいは電子装置１０は、図１９に示すように、上側本体１２の背面側に回動自在に設けられたスタンド５２を立てることで、上側本体１２は、傾斜した状態でスタンド５２に支持され、電子装置１０をテーブル上などにおいて遊戯を行うことができる。この場合、図２０に示すように、下側本体１４を上側本体１２側に回転させることで、電子装置１０を閉じた状態で、電子装置１０をスタンド５２で支持させることができる。また、図２１に示すように、ヒンジ１６を中心に下側本体１４を回動することで、下側本体１４をひざの上に載せて上側本体１２のみを用いて遊戯を行うこともできる。すなわち、使わない下側本体１４を上側本体１２の裏面にして、下側本体１４がユーザー（幼児）に見えないようにすることができる。
【００３８】
また逆に、図２２から図２５に示すように、ヒンジ１６を中心に上側本体１２または下側本体１４を互いに近づける方向に回動することで、上側本体１２と下側本体１４とを一体にすることができる。この場合、図２６に示すように、下側本体１４の係合用突起５４が上側本体１２の突部５６と係合し、上側本体１２と下側本体１４とが互いに一体化される。すなわち、係合用突起５４はばね５８の弾性力を受けて上側本体１２側に押圧されているため、上側本体１２と下側本体１４とが確実に一体化される。
【００３９】
一方、図２７に示すように、下側本体１４の係合用突起６０をばね５８の弾性力に抗して下方に操作して、係合用突起５４と突部５６との係合を解除すると、下側本体１４と上側本体１２とを離すことができる。
【００４０】
また、下側本体１４を、ヒンジ１６を中心に上側本体１２の背面側に回動すると、係合用突起６０が上側本体１２背面側の突部６２内に挿入されて係合されるため、図２８に示すように、上側本体１２と下側本体１４とを一体にすることもできる。また、このとき係合用突起５４をばね５８の弾性力に抗して下方に操作すると、係合用突起６０と突部６２との係合が解除され、上側本体１２と下側本体１４とを離すことができる。
【００４１】
また、テレビ等のモニタに画像表示を行う第１の動作モードでは、上部本体１２のカートリッジ装着部１８上にカートリッジを装着しカートリッジに綴じられたシート上でタッチペン２６または２８を操作してシートに印刷された絵や文字や記号等を選択することで当該選択位置に対応するプログラムを実行して選択された絵や文字や記号等に対応する映像及びテレビに出力することができる。
【００４２】
カートリッジ装着部にはタッチパネルが配置されておりタッチペンがタッチパネルからの電磁波を検出し情報処理ユニットで処理されてユーザが選択したシート上の位置座標を検出することで、当該座標値に基づくアドレスでカートリッジに組み込まれた情報媒体からユーザが選択した位置に対応するプログラムや映像データや音声データが読み出される。
【００４３】
この画像表示を行うモードでは、上述の上部本体１２上での操作とともに下部本体１９のタッチパネル４６（上部本体に組み込まれたタッチパネルと同じ構成となっている。）上でタッチペン２６または２８を操作することでお絵かきをしたり、あるいは上部本体１２上での選択操作と同様、下部本体１９のタッチパネル４６上での選択に対応する位置座標をアドレスとしてカートリッジに組み込まれた情報媒体からユーザが選択した位置に対応するプログラムや映像データや音声データが読み出される。
【００４４】
これに対し、下部本体を上部本体の裏側に折り返した状態では、第２の動作モードに切り替えられ、下部本体のタッチパネル４６の動作は停止状態となり、テレビに接続することなく操作可能な状態となる。この動作モードではシート上でタッチペンを操作すると当該操作によって選択された位置座標に対応する音声が上部本体内に内蔵されたスピーカから出力される構成となっている。
【図面の簡単な説明】
【００４５】
【図１】本発明の一実施例を示す電子装置の斜視図である。
【図２】電子装置にカートリッジが装着されないときの状態であって、開いた状態を示す正面図である。
【図３】上側本体用コネクタの図であって、（ａ）は、平面図、（ｂ）は、正面図、（ｃ）は、要部断面図、（ｄ）は、側面図である。
【図４】カートリッジの正面図である。
【図５】カートリッジの平面図である。
【図６】カートリッジの背面図である。
【図７】カートリッジの底面図である。
【図８】カートリッジにクリップを取り付けるときの状態を示す要部分解拡大斜視図である。
【図９】クリップの断面図である。
【図１０】カートリッジ装着部にカードが装着されたときの使用状態を示す図である。
【図１１】カートリッジ用コネクタの図であって、（ａ）は、平面図、（ｂ）は、正面図、（ｃ）は、側面図である。
【図１２】本体用コネクタとカートリッジ用コネクタとの関係を説明するための図である。
【図１３】本体用コネクタとカートリッジ用コネクタとの接続方法を説明するための図である。
【図１４】カートリッジがカートリッジ装着部に装着される過程を説明するための斜視図である。
【図１５】上側本体用コネクタの他の実施例を示す図であって、（ａ）は、平面図、（ｂ）は、正面図、（ｃ）は、要部断面図、（ｄ）は、側面図である。
【図１６】カートリッジ用コネクタの他の実施例を示す図であって、（ａ）は、平面図、（ｂ）は、正面図、（ｃ）は、側面図である。
【図１７】本体用コネクタとカートリッジ用コネクタとの関係を説明するための図である。
【図１８】タッチペンの操作方法を説明するための斜視図である。
【図１９】開いた電子装置のスタンドを立てたときの状態を示す側面図である。
【図２０】閉じた電子装置のスタンドを立てたときの状態を示す側面図である。
【図２１】電子装置の上側本体のみを用いるときの状態を示す側面図である。
【図２２】上側本体と下側本体を一体にしたときの正面図である。
【図２３】上側本体と下側本体を一体にしたときの平面図である。
【図２４】上側本体と下側本体を一体にしたときの背面図である。
【図２５】上側本体と下側本体を一体にしたときの底面図である。
【図２６】上側本体と下側本体の係合状態を示す要部拡大断面図である。
【図２７】上側本体と下側本体の係合状態を示す要部拡大断面図である。
【図２８】上側本体の背面側に下側本体を装着したときの状態を示す側面図である。
【符号の説明】
【００４６】
１０  電子装置
１２  上側本体
１４  下側本体
１８  カートリッジ装着部
２６、２８  タッチペン
３４  カートリッジ
３２  本体用コネクタ
３２ｅ  ガイド孔
４４  カートリッジ用コネクタ
４４ｅ  ガイドピン
４６  タッチパネル
４８、５０  操作部
【図１】
2006286553.tif 000003
【図２】
2006286553.tif 000004
【図３】
2006286553.tif 000005
【図４】
2006286553.tif 000006
【図５】
2006286553.tif 000007
【図６】
2006286553.tif 000008
【図７】
2006286553.tif 000009
【図８】
2006286553.tif 000010
【図９】
2006286553.tif 000011
【図１０】
2006286553.tif 000012
【図１１】
2006286553.tif 000013
【図１２】
2006286553.tif 000014
【図１３】
2006286553.tif 000015
【図１４】
2006286553.tif 000016
【図１５】
2006286553.tif 000017
【図１６】
2006286553.tif 000018
【図１７】
2006286553.tif 000019
【図１８】
2006286553.tif 000020
【図１９】
2006286553.tif 000021
【図２０】
2006286553.tif 000022
【図２１】
2006286553.tif 000023
【図２２】
2006286553.tif 000024
【図２３】
2006286553.tif 000025
【図２４】
2006286553.tif 000026
【図２５】
2006286553.tif 000027
【図２６】
2006286553.tif 000028
【図２７】
2006286553.tif 000029
【図２８】
2006286553.tif 000030